(57)【特許請求の範囲】
【請求項１】
頭蓋骨における欠損部を補填する人工骨を設計するための、頭蓋骨補填人工骨の設計装置であって、
患者の頭蓋骨の欠損部に対応する人工骨の外形のデータである人工骨外形データを取得する、人工骨外形データ取得部と、
前記患者の頭部の断面画像における皮膚部分に対応する画素濃度の部分に基づいて、当該皮膚部分における皮膚表面の形状データである皮膚形状データを取得する、皮膚形状データ取得部と、
前記皮膚形状データに基づいて、前記欠損部の表面における皮膚表面の形状に沿った前記人工骨の内側の面の形状データである人工骨内面形状データを形成する、人工骨内面形状データ形成部と、
前記人工骨外形データと前記人工骨内面形状データとに基づいて、皮膚萎縮或いは脳の切除により生じた領域としての空隙を埋めるように、当該人工骨外形データが取得された前記人工骨の外形と当該人工骨内面形状データが形成された前記人工骨の内側の面との間を埋める前記人工骨の厚みデータを形成する、人工骨厚みデータ形成部と、
を備えていることを特徴とする、頭蓋骨補填人工骨の設計装置。
【請求項２】
請求項１に記載の頭蓋骨補填人工骨の設計装置であって、
前記皮膚形状データ取得部は、前記患者の頭部の平行な断面における複数の前記断面画像毎に、前記患者の頭蓋骨中における所定の一点である中心位置から放射状に延びる複数の仮想の線と前記皮膚部分における皮膚表面とが交わる交点を曲線で連続させて形成した曲線データを取得することで、前記皮膚形状データを取得することを特徴とする、頭蓋骨補填人工骨の設計装置。
【請求項３】
頭蓋骨における欠損部を補填する人工骨の設計を、コンピュータによって実行するためのプログラムであって、
前記コンピュータに、
患者の頭蓋骨の欠損部に対応する人工骨の外形のデータである人工骨外形データを取得する、人工骨外形データ取得ステップと、
前記患者の頭部の断面画像における皮膚部分に対応する画素濃度の部分に基づいて、当該皮膚部分における皮膚表面の形状データである皮膚形状データを取得する、皮膚形状データ取得ステップと、
前記皮膚形状データに基づいて、前記欠損部の表面における皮膚表面の形状に沿った前記人工骨の内側の面の形状データである人工骨内面形状データを形成する、人工骨内面形状データ形成ステップと、
前記人工骨外形データと前記人工骨内面形状データとに基づいて、皮膚萎縮或いは脳の切除により生じた領域としての空隙を埋めるように、当該人工骨外形データが取得された前記人工骨の外形と当該人工骨内面形状データが形成された前記人工骨の内側の面との間を埋める前記人工骨の厚みデータを形成する、人工骨厚みデータ形成ステップと、
を実行させることを特徴とする、プログラム。
【請求項４】
請求項３に記載のプログラムであって、
前記皮膚形状データ取得ステップにおいて、前記患者の頭部の平行な断面における複数の前記断面画像毎に、前記患者の頭蓋骨中における所定の一点である中心位置から放射状に延びる複数の仮想の線と前記皮膚部分における皮膚表面とが交わる交点を曲線で連続させて形成した曲線データを取得することで、前記皮膚形状データが取得されることを特徴とする、プログラム。
【発明の詳細な説明】
【技術分野】
【０００１】
本発明は、頭蓋骨における欠損部を補填する人工骨を設計するための、頭蓋骨補填人工骨の設計方法、頭蓋骨補填人工骨の設計装置、及びプログラムに関する。
【背景技術】
【０００２】
従来より、事故や疾病の治療のために頭蓋骨の一部が欠損し或いは切除されて頭蓋骨に欠損部が発生した場合に、その頭蓋骨における欠損部を補填する人工骨が用いられている。このような頭蓋骨における欠損部を補填する人工骨を設計するための設計方法或いは設計システムとして、特許文献１或いは特許文献２に開示されたものが知られている。
【０００３】
特許文献１に開示された設計方法においては、まず、頭蓋骨の複数の断層データを基に頭蓋骨の三次元データが作成される。そして、その三次元データにおいて、対称面で分割したときに得られる欠損部を有する半体と欠損部を有さない半体とが仮想される。更に、欠損部を有さない半体を上記対称面を中心とした面対称な位置に反転させたときに欠損部を有する半体と重ならない部分を抽出することで、欠損部に対応する人工骨の外形が決定される。また、人工骨の厚みについては、欠損部を有さない半体の厚みをもとに予測される。そして、欠損部付近の軟部組織の形状データと、欠損部を有さない半体で欠損部と対称な位置に存在する部分の付近の軟部組織の形状データとのうちの少なくとも一方を利用して、人工骨の厚みを厚くする或いは薄くするといった補正が行われる。
【０００４】
特許文献２に開示された設計システムにおいては、まず、頭部における複数の断層位置での断層画像のそれぞれにて、予め定められた濃度レベルの画素領域が頭蓋骨の骨部候補領域として抽出され、骨部候補領域のうち面積最大のものが確定骨部領域として選択される。そして、その確定骨部領域のうち、人体外面側に臨む外形線のみを用いて、最終的に骨部として定めるべき領域の外形線情報である骨部外形線情報が生成される。更に、各断層位置毎の骨部外形線情報に基づいて、頭蓋骨の欠損部の三次元形状データが生成される。そして、欠損部が頭蓋骨を左右に二分したうちの片側にのみ存在する場合であれば、鏡像コピーによる欠損部復元が行われるように、欠損部の三次元形状データの生成が行われる。
【先行技術文献】
【特許文献】
【０００５】
【特許文献１】特開２００５−１６０６４６号公報
【特許文献２】特開２００１−９２９５０号公報
【発明の概要】
【発明が解決しようとする課題】
【０００６】
頭蓋骨の一部の欠損或いは切除によって頭蓋骨に欠損部が発生した場合には、特許文献１或いは特許文献２で開示されたような方法或いはシステムなどによって設計された人工骨が補填されることになる。そして、欠損部に人工骨を補填した際においては、皮膚萎縮或いは脳の切除により生じた領域としての空隙が、死腔として、人工骨の内側に発生し易い。このような死腔の発生は、感染のリスクを高める可能性がある。
【０００７】
特許文献１に開示された設計方法では、人工骨の厚みは、頭蓋骨における欠損部が無い部分の厚みをもとに予測され、欠損部付近の軟部組織、或いは、欠損部と対称な位置の部分の付近の軟部組織の形状データを利用して、厚くする或いは薄くするといった補正が行われる。このため、特許文献１の設計方法は、人工骨の厚みを増減する補正が行われるにとどまる方法のため、皮膚萎縮或いは脳の切除により生じた領域としての空隙を正確に埋めることが可能な人工骨を形成することが困難であり、人工骨の内側に死腔が発生し易いという問題がある。
【０００８】
また、特許文献２に開示された設計システムでは、各断層位置毎の骨部外形線情報に基づいて欠損部の三次元形状データが生成され、欠損部が頭蓋骨の左右の片側に存在する場合は、鏡像コピーによる欠損部復元により、欠損部の三次元形状データの生成が行われる。このため、特許文献２の設計システムは、鏡像コピーによる欠損部復元によって欠損部の三次元形状データの生成が行われるにとどまるため、皮膚萎縮或いは脳の切除により生じた領域としての空隙を正確に埋めることが可能な人工骨を形成することが困難であり、人工骨の内側に死腔が発生し易いという問題がある。
【０００９】
本発明は、上記実情に鑑みることにより、皮膚萎縮或いは脳の切除により生じた領域としての空隙を正確に埋めることが可能な人工骨を形成でき、死腔の発生を防止することができる、頭蓋骨補填人工骨の設計方法、頭蓋骨補填人工骨の設計装置、及びプログラムを提供することを目的とする。
【課題を解決するための手段】
【００１０】
上記目的を達成するための本発明のある局面に係る頭蓋骨補填人工骨の設計方法は、頭蓋骨における欠損部を補填する人工骨を設計するための、頭蓋骨補填人工骨の設計方法に関する。そして、本発明のある局面に係る頭蓋骨補填人工骨の設計方法は、患者の頭蓋骨の欠損部に対応する人工骨の外形のデータである人工骨外形データを取得する、人工骨外形データ取得ステップと、前記患者の頭部の断面画像における皮膚部分に対応する画素濃度の部分に基づいて、当該皮膚部分における皮膚表面の形状データである皮膚形状データを取得する、皮膚形状データ取得ステップと、前記皮膚形状データに基づいて、前記欠損部の表面における皮膚表面の形状に沿った前記人工骨の内側の面の形状データである人工骨内面形状データを形成する、人工骨内面形状データ形成ステップと、前記人工骨外形データと前記人工骨内面形状データとに基づいて、当該人工骨外形データが取得された前記人工骨の外形と当該人工骨内面形状データが形成された前記人工骨の内側の面との間を埋める前記人工骨の厚みデータを形成する、人工骨厚みデータ形成ステップと、を備えていることを特徴とする。
【００１１】
この発明によると、頭部の断面画像における皮膚部分に対応する画素濃度の部分に基づいて皮膚表面の形状データが取得され、それに基づき、欠損部の表面における皮膚表面の形状に沿った人工骨の内側の面の形状データが形成される。そして、それらの形状データに基づき、人工骨の外形と人工骨の内側の面との間を埋める人工骨の厚みデータが形成される。このため、皮膚萎縮或いは脳の切除により生じた領域としての空隙を正確に埋めることが可能な形状の人工骨を形成することができる。これにより、死腔の発生が防止されることになる。
【００１２】
本発明のある局面に係る頭蓋骨補填人工骨の設計方法は、前記皮膚形状データ取得ステップにおいて、前記患者の頭部の平行な断面における複数の前記断面画像毎に、前記患者の頭蓋骨中における所定の一点である中心位置から放射状に延びる複数の仮想の線と前記皮膚部分における皮膚表面とが交わる交点を曲線で連続させて形成した曲線データを取得することで、前記皮膚形状データが取得されることが好ましい。
【００１３】
この発明によると、断面画像毎に頭蓋骨中の中心位置から放射状に延びる仮想の線と皮膚表面とが交わる交点を曲線で連続させることで得られる曲線データを取得することで、皮膚形状データを容易に取得することができる。
【００１４】
本発明のある局面に係る頭蓋骨補填人工骨の設計装置は、頭蓋骨における欠損部を補填する人工骨を設計するための、頭蓋骨補填人工骨の設計装置に関する。そして、本発明のある局面に係る頭蓋骨補填人工骨の設計装置は、患者の頭蓋骨の欠損部に対応する人工骨の外形のデータである人工骨外形データを取得する、人工骨外形データ取得部と、前記患者の頭部の断面画像における皮膚部分に対応する画素濃度の部分に基づいて、当該皮膚部分における皮膚表面の形状データである皮膚形状データを取得する、皮膚形状データ取得部と、前記皮膚形状データに基づいて、前記欠損部の表面における皮膚表面の形状に沿った前記人工骨の内側の面の形状データである人工骨内面形状データを形成する、人工骨内面形状データ形成部と、前記人工骨外形データと前記人工骨内面形状データとに基づいて、当該人工骨外形データが取得された前記人工骨の外形と当該人工骨内面形状データが形成された前記人工骨の内側の面との間を埋める前記人工骨の厚みデータを形成する、人工骨厚みデータ形成部と、を備えていることを特徴とする。この発明によると、本発明のある局面に係る頭蓋骨補填人工骨の設計方法の発明と同様の効果を奏することができる。
【００１５】
本発明のある局面に係るプログラムは、頭蓋骨における欠損部を補填する人工骨の設計を、コンピュータによって実行するためのプログラムに関する。そして、本発明のある局面に係るプログラムは、前記コンピュータに、患者の頭蓋骨の欠損部に対応する人工骨の外形のデータである人工骨外形データを取得する、人工骨外形データ取得ステップと、前記患者の頭部の断面画像における皮膚部分に対応する画素濃度の部分に基づいて、当該皮膚部分における皮膚表面の形状データである皮膚形状データを取得する、皮膚形状データ取得ステップと、前記皮膚形状データに基づいて、前記欠損部の表面における皮膚表面の形状に沿った前記人工骨の内側の面の形状データである人工骨内面形状データを形成する、人工骨内面形状データ形成ステップと、前記人工骨外形データと前記人工骨内面形状データとに基づいて、当該人工骨外形データが取得された前記人工骨の外形と当該人工骨内面形状データが形成された前記人工骨の内側の面との間を埋める前記人工骨の厚みデータを形成する、人工骨厚みデータ形成ステップと、を実行させることを特徴とする。この発明によると、本発明のある局面に係る頭蓋骨補填人工骨の設計方法の発明と同様の効果を奏することができる。
【発明の効果】
【００１６】
本発明によると、皮膚萎縮或いは脳の切除により生じた領域としての空隙を正確に埋めることが可能な人工骨を形成でき、死腔の発生を防止することができる、頭蓋骨補填人工骨の設計方法、頭蓋骨補填人工骨の設計装置、及びプログラムを提供することができる。
【図面の簡単な説明】
【００１７】
【図１】本発明の一実施の形態に係る頭蓋骨補填人工骨の設計装置を示すブロック図である。
【図２】頭蓋骨に欠損部が発生した状態の患者の頭部を示す模式図である。
【図３】図２に示す患者の頭部における頭蓋骨を示す模式図である。
【図４】図１に示す設計装置の作動フロー及び本実施形態における頭蓋骨補填人工骨の設計方法を示すフロー図である。
【図５】図１に示す設計装置の作動及び本実施形態の設計方法におけるＣＴ画像データ取得ステップで得られるデータを説明するための図である。
【図６】図１に示す設計装置の作動及び本実施形態の設計方法における人工骨外形データ取得ステップで得られる人工骨外形データを説明するための図である。
【図７】図１に示す設計装置の作動及び本実施形態の設計方法における皮膚形状データ取得ステップで得られる皮膚形状データを説明するための図である。
【図８】図１に示す設計装置の皮膚形状データ取得部における皮膚形状データが取得される処理を説明するための図である。
【図９】図１に示す設計装置の皮膚形状データ取得部における皮膚形状データが取得される処理を説明するための図である。
【図１０】図１に示す設計装置の作動及び本実施形態の設計方法における人工骨内面形状データ形成ステップで得られる人工骨内面形状データを説明するための図である。
【図１１】図１に示す設計装置の作動及び本実施形態の設計方法における人工骨厚みデータ形成ステップで得られる厚みデータを説明するための図である。
【発明を実施するための形態】
【００１８】
以下、本発明を実施するための形態について図面を参照しつつ説明する。本発明は、頭蓋骨における欠損部を補填する人工骨を設計するための、頭蓋骨補填人工骨の設計方法及び頭蓋骨補填人工骨の設計装置として、また、頭蓋骨における欠損部を補填する人工骨の設計をコンピュータによって実行するためのプログラムとして、広く適用することができるものである。
【００１９】
尚、本実施形態の設計方法（頭蓋骨補填人工骨の設計方法）は、本実施形態の設計装置（頭蓋骨補填人工骨の設計装置）が作動することによって実施されることになる。また、本実施形態のプログラムは、頭蓋骨における欠損部を補填する人工骨の設計をコンピュータである本実施形態の設計装置によって実行するためのプログラムとして構成されている。そして、本実施形態では、本実施形態のプログラムが本実施形態の設計装置によって実行されることによって、本実施形態の設計方法が実施されることになる。
【００２０】
図１は、本発明の一実施の形態に係る頭蓋骨補填人工骨の設計装置１（以下、単に「設計装置１」ともいう）の構成を模式的に示すブロック図である。また、図２は、事故や疾病の治療のために頭蓋骨の一部が欠損し或いは切除されて頭蓋骨に欠損部が発生した状態の患者の頭部１００を示す模式図である。そして、図３は、図２に示す患者の頭部１００における頭蓋骨１０１を示す模式図である。
【００２１】
図１に示す設計装置１は、図３に示すように欠損部１０１ａが発生した頭蓋骨１０１に関して、その欠損部１０１ａを補填する人工骨を設計するための装置として用いられる。尚、図２に示すように、頭蓋骨１０１における骨の一部が欠落した部分である欠損部１０１ａの表面は、皮膚で覆われた状態となっている。
【００２２】
設計装置１には、図示しないＣＰＵ（Central Processing Unit）、メモリ等の記憶装置、入出力インターフェース、等が設けられている。これにより、設計装置１においては、図１に示すように、ＣＴ画像データ取得部２１、人工骨外形データ取得部２２、皮膚形状データ取得部２３、人工骨内面形状データ形成部２４、人工骨厚みデータ形成部２５、記憶部２６、等が備えられている。尚、ＣＴ画像データ取得部２１、人工骨外形データ取得部２２、皮膚形状データ取得部２３、人工骨内面形状データ形成部２４、人工骨厚みデータ形成部２５は、ＣＰＵとメモリ等の記憶装置に格納された所定のプログラムとによって構成される。そして、設計装置１のＣＰＵが、ＣＴ画像データ取得部２１、人工骨外形データ取得部２２、皮膚形状データ取得部２３、人工骨内面形状データ形成部２４、人工骨厚みデータ形成部２５として機能し、処理を行うことになる。また、設計装置１におけるメモリ等の記憶装置が、記憶部２６として機能することになる。
【００２３】
設計装置１は、図示しないユーザによる入力装置１２からの入力操作に基づいて処理を開始し、設計装置１の処理が実行されることで、人工骨の設計が行われることになる。尚、設計装置１は、入力装置１２及び表示装置１３に接続されている。
【００２４】
入力装置１２は、ユーザによる設計装置１に対する操作を入力するための装置である。入力装置１２は、例えば、キーボード、マウス等のポインティングデバイス、等の入力機器として設けられる。ユーザは、入力装置１２を用いて、設計装置１に対して、人工骨の設計に必要な所定のデータを入力することができるとともにその設計装置１の操作を行うことができる。また、表示装置１３は、例えば、表示画面を備えたディスプレイ装置として設けられ、設計装置１の制御に基づいて処理結果を表示する。
【００２５】
以下、設計装置１におけるＣＴ画像データ取得部２１、人工骨外形データ取得部２２、皮膚形状データ取得部２３、人工骨内面形状データ形成部２４、人工骨厚みデータ形成部２５、記憶部２６での処理について、設計装置１が作動することで実施される本実施形態の設計方法とともに説明する。
【００２６】
図４は、設計装置１の作動フロー及び本実施形態の設計方法を示すフロー図である。本実施形態の設計方法は、ＣＴ画像データ取得ステップＳ１０１、人工骨外形データ取得ステップＳ１０２、皮膚形状データ取得ステップＳ１０３、人工骨内面形状データ形成ステップＳ１０４、人工骨厚みデータ形成ステップＳ１０５、等を備えて構成されている。
【００２７】
本実施形態では、設計装置１におけるＣＰＵにより、設計装置１のメモリに記憶された本実施形態のプログラムが読みだされて実行される。これにより、本実施形態のプログラムが、コンピュータである設計装置１に上記の各ステップ（Ｓ１０１〜Ｓ１０５）を実行させ、本実施形態の設計方法が実施される。
【００２８】
ＣＴ画像データ取得部２１は、ＣＴ画像データ１１を取得するように構成されている。そして、設計装置１にてＣＴ画像データ取得部２１としての処理が行われることで、ＣＴ画像データ取得ステップＳ１０１が実行されることになる。
【００２９】
尚、ＣＴ画像データ１１は、Ｘ線ＣＴ（Computed Tomography）装置による患者の頭部１００の断層撮影によって得られ、患者の頭部１００の上下方向に垂直な断面であって互いに平行な断面における複数の断面画像のデータとして構成されている。そして、このＣＴ画像データ１１は、例えば、ＣＦ（Compact Flash）及びＳＤ（Secure Digital）等の半導体記憶デバイス、フレキシブルディスク（Flexible Disk）等の磁気記録媒体、又はＣＤ−ＲＯＭ（Compact Disk Read Only Memory）等の光学記録媒体に記録された状態でこれらの記録媒体等から読みだされ、ＣＴ画像データ取得部２１によって取得される。或いは、ＣＴ画像データ１１は、上記の各断面画像のフィルム等からイメージスキャナ（図示せず）を介して画像データとして読み取られ、ＣＴ画像データ取得部２１によって取得される。
【００３０】
図５は、ＣＴ画像データ取得部２１によって取得されたＣＴ画像データ１１における１つの断面データを説明するための図であって、その断面データとして、対応する断面画像を模式的に例示した図である。尚、図５の模式図に示す断面は、頭蓋骨１０１の欠損部１０１ａに対応する位置での断面を示している。そして、図５に示すように、断面画像には、欠損部１０１ａが開口した頭蓋骨１０１、頭蓋骨１０１の内部に配置される脳１０２、欠損部１０１ａも含めて頭蓋骨１０１の周囲を覆う皮膚部分１０３の断面が表れている。
【００３１】
図６は、人工骨外形データ取得部２２によって面形状データとして取得された人工骨外形データ３１を説明するための図であって、その人工骨外形データ３１を含む図５に対応する断面データとして、対応する断面画像を模式的に示す図である。人工骨外形データ取得部２２は、患者の頭蓋骨１０１の欠損部１０１ａに対応する人工骨の外形データである人工骨外形データ３１を取得するように構成されている。そして、設計装置１にて人工骨外形データ取得部２２としての処理が行われることで、人工骨外形データ取得ステップＳ１０２が実行されることになる。
【００３２】
尚、人工骨外形データ取得部２２では、例えば、頭部１００を左右方向において中央位置で二分する仮想の中央面Ｃ（図６にて中央面Ｐの位置を一点鎖線Ｃで示す）を想定し、中央面Ｐにて分離される頭蓋骨１０１のうち欠損部１０１ａが無い無欠損部分１０１ｂの骨の外形に基づいて、人工骨外形データ３１が取得されてもよい。この場合、無欠損部分１０１ｂの外形を中央面Ｃにて面対称位置に反転させた仮想の骨外形線を想定し、この骨外形線における欠損部１０１ａを塞ぐように配置される部分に基づいて、人工骨外形データ３１が取得されてもよい。また、上記の骨外形線における欠損部１０１ａを塞ぐように配置された部分について、更に、図６の断面における縦横比を変更する等によって補正が行われ、人工骨外形データ３１が取得されてもよい。
【００３３】
図７は、皮膚形状データ取得部２３によって取得された皮膚形状データ３２を説明するための図であって、その皮膚形状データ３２を含む図６に対応する断面データとして、対応する断面画像を模式的に示す図である。皮膚形状データ取得部２３は、患者の頭部１００の断面画像における皮膚部分１０３に対応する画素濃度の部分に基づいて、皮膚部分１０３における皮膚表面の形状データである皮膚形状データ３２を取得するように構成されている。そして、設計装置１にて皮膚形状データ取得部２３としての処理が行われることで、皮膚形状データ取得ステップＳ１０３が実行されることになる。
【００３４】
図８及び図９は、皮膚形状データ取得ステップＳ１０３を実行する皮膚形状データ取得部２３における皮膚形状データ３２が取得される処理を説明するための図である。皮膚形状データ取得ステップＳ１０３においては、患者の頭部１００の平行な断面Ｐにおける複数の断面画像毎に、患者の頭蓋骨１０１中における所定の一点である中心位置Ｍから放射状に延びる複数の仮想の線である放射線Ｒと皮膚部分１０３における皮膚表面とが交わる交点Ｑを曲線で連続させて形成した曲線データが取得される。そして、各断面Ｐに対応する各曲線データにおいて、頭部１００の上下方向に沿う方向で隣り合う曲線データにおける隣接する交点Ｑ同士が結合されことで、面形状データとして皮膚形状データ３２が取得されることになる。
【００３５】
尚、図８においては、面形状データとして得られる皮膚形状データ３２について、頭部１００における一部に対応する部分のみを二点鎖線で模式的に示している。また、図８では、放射線Ｒについては、頭部１００の上下方向に対して垂直な方向に延びる一部の放射線Ｒのみを模式的に図示しており、他の放射線Ｒの図示を省略している。また、図９では、図７に示す断面における放射線Ｒと交点Ｑとの関係を示しており、放射線Ｒについては、図９に示す断面に対しては交点Ｑにて斜めに交差するため、図９における断面に対する投影図として図示している。また、図９では、無欠損部分１０１ｂ側において皮膚部分１０３と交差する放射線Ｒ及び交点Ｑの図示を省略している。また、図８及び図９では、断面Ｐ、放射線Ｒ、及び交点Ｑについては、分かりやすく示すため、実際に設定される断面Ｐ、放射線Ｒ、及び交点Ｑの数よりも数を減らして図示している。
【００３６】
尚、人工骨外形データ取得部２２が人工骨外形データ３１を取得する処理についても、上記の皮膚形状データ取得部２３に関して図８及び図９にて説明した処理と同様に行われてもよい。この場合、図８及び図９にて説明した処理と同様の処理によって無欠損部分１０１ｂの骨の外形の形状データが取得される。そして、無欠損部分１０１ｂの骨の外形の形状データに基づいて、中央面Ｃにて面対称位置に反転させて欠損部１０１ａを塞ぐ部分を抽出し、人工骨外形データ３１が取得される。
【００３７】
図１０は、人工骨内面形状データ形成部２４によって形成された人工骨内面形状データ３３を説明するための図であって、その人工骨内面形状データ３３を含む図７に対応する断面データとして、対応する断面画像を模式的に示す図である。人工骨内面形状データ形成部２４は、皮膚形状データ３２に基づいて、欠損部１０１ａの表面における皮膚表面の形状に沿った人工骨の内面の面の形状データである人工骨内面形状データ３３を形成するように構成されている。そして、設計装置１にて人工骨内面形状データ形成部２４としての処理が行われることで、人工骨内面形状データ形成ステップＳ１０４が実行されることになる。
【００３８】
尚、人工骨内面形状データ形成部２４では、例えば、人工骨内面形状データ３３の中央部分の形状データは、皮膚形状データ３２のうち欠損部１０１ａに対応する皮膚表面に沿った部分の形状データによって形成される。そして、各断面Ｐ（図８を参照）における人工骨内面形状データ３３の端部近傍の形状データは、頭蓋骨１０１における欠損部１０１ａの縁部分に対して連続するとともに、人工骨外形データ３１とも連続するように補正されて形成される。
【００３９】
図１１は、人工骨厚みデータ形成部２５によって形成された厚みデータ３４を説明するための図であって、その厚みデータ３４を含む図１０に対応する断面データとして、対応する断面画像を模式的に示す図である。人工骨厚みデータ形成部２５は、人工骨外形データ３１と人工骨内面形状データ３３とに基づいて、人工骨外形データ３１が取得された人工骨の外形と人工骨内面形状データ３３が取得された人工骨の内側の面との間を埋める人工骨の厚みデータ３４を形成するように構成されている。そして、設計装置１にて人工骨厚みデータ形成部２５としての処理が行われることで、人工骨厚みデータ形成ステップＳ１０５が実行されることになる。尚、図１１に示す断面では、厚みデータ３４の断面について、斜線でハッチングをした領域として図示している。
【００４０】
記憶部２６は、ＣＴ画像データ取得部２１、人工骨外形データ取得部２２、皮膚形状データ取得部２３、人工骨内面形状データ形成部２４、人工骨厚みデータ形成部２５にてそれぞれ取得又は形成されたデータを記憶するように構成されている。そして、設計装置１においては、記憶部２６に記憶されたデータが設計装置１の制御に基づいて表示装置１３の表示画面に表示され、ユーザが確認できるように構成されている。
【００４１】
また、記憶部２６に記憶された人工骨外形データ３１、人工骨内面形状データ３３、厚みデータ３４については、設計データ１４として外部の記録媒体等に出力されて記録される。この設計データ１４に基づいて、セラミックス或いはポリエチレン（ＰＥ）等の医療材料を用いた成形体が製造され、更に、その成形体の加工が行われることで、患者の頭蓋骨１０１における欠損部１０１ａを補填する人工骨が、製造されることになる。
【００４２】
尚、本実施形態のプログラムは、上述したＣＴ画像データ取得ステップＳ１０１、人工骨外形データ取得ステップＳ１０２、皮膚形状データ取得ステップＳ１０３、人工骨内面形状データ形成ステップＳ１０４、及び人工骨厚みデータ形成ステップＳ１０５を設計装置１に実行させるように構成されていればよい。そして、本実施形態のプログラムが、設計装置１等のコンピュータにインストールされ、実行されることによって、本実施形態の設計方法が実施されることになる。
【００４３】
また、本実施形態のプログラムは、記録媒体に記録された状態で流通しても良いし、インターネット上でデータとして流通してもよい。また、記録媒体の具体例としては、ＣＦ（Compact Flash）及びＳＤ（Secure Digital）等の汎用的な半導体記憶デバイス、フレキシブルディスク（Flexible Disk）等の磁気記録媒体、又はＣＤ−ＲＯＭ（Compact Disk Read Only Memory）などの光学記録媒体が挙げられる。
【００４４】
以上説明したように、本実施形態の設計装置１、設計方法、及びプログラムによると、頭部１００の断面画像における皮膚部分１０３に対応する画素濃度の部分に基づいて皮膚表面の形状データ（皮膚形状データ３１）が取得され、それに基づき、欠損部１０１ａの表面における皮膚表面の形状に沿った人工骨の内側の面の形状データ（人工骨内面形状データ３３）が形成される。そして、それらの形状データ（３１、３３）に基づき、人工骨の外形と人工骨の内側の面との間を埋める人工骨の厚みデータ３４が形成される。このため、皮膚萎縮或いは脳の切除により生じた領域としての空隙を正確に埋めることが可能な形状の人工骨を形成することができる。これにより、死腔の発生が防止されることになる。
【００４５】
また、本実施形態の設計装置１、設計方法、及びプログラムによると、断面画像毎に頭蓋骨１０１中の中心位置Ｍから放射状に延びる仮想の放射線Ｒと皮膚表面とが交わる交点Ｑを曲線で連続させることで得られる曲線データを取得することで、皮膚形状データ３２を容易に取得することができる。
【００４６】
以上、本発明の実施形態について説明したが、本発明は上述の実施の形態に限られるものではなく、特許請求の範囲に記載した限りにおいて様々な変更が可能なものである。例えば、次のように変更して実施してもよい。
【００４７】
（１）前述の実施形態では、頭部の断面画像データとしてＣＴ画像データが用いられる形態を例にとって説明したが、この通りでなくてもよく、頭部の断面画像データとしてＣＴ画像データ以外のデータが用いられる形態であってもよい。例えば、頭部の断面画像データとしてＭＲＩ（Magnetic Resonance Imaging）によって得られた画像データが用いられる形態であってもよい。
【００４８】
（２）また、人工骨内面形状データの中央部分の形状データについては、皮膚形状データに基づいて形成されるものであればよく、前述の実施形態のように皮膚形状データのうち欠損部に対応する皮膚表面に沿った部分の形状データによって形成される形態でなくてもよい。この場合、例えば、人工骨内面形状データの中央部分の形状データが、皮膚形状データのうち欠損部に対応する皮膚表面に沿った部分の形状データに対して一定のギャップを介して広がる形状として形成されるような形状データであってもよい。
【産業上の利用可能性】
【００４９】
本発明は、頭蓋骨における欠損部を補填する人工骨を設計するための、頭蓋骨補填人工骨の設計方法、頭蓋骨補填人工骨の設計装置、及びプログラムとして、広く適用することができるものである。
【符号の説明】
【００５０】
１              頭蓋骨補填人工骨の設計装置
２２            人工骨外形データ取得部
２３            皮膚形状データ取得部
２４            皮膚内面形状データ形成部
２５            人工骨厚みデータ形成部
１００          頭部
１０１          頭蓋骨
１０１ａ        欠損部
１０３          皮膚部分
【図１】
0005701052.tif 000002
【図２】
0005701052.tif 000003
【図３】
0005701052.tif 000004
【図４】
0005701052.tif 000005
【図５】
0005701052.tif 000006
【図６】
0005701052.tif 000007
【図７】
0005701052.tif 000008
【図８】
0005701052.tif 000009
【図９】
0005701052.tif 000010
【図１０】
0005701052.tif 000011
【図１１】
0005701052.tif 000012